(57)【要約】      （修正有）【課題】低いノイズ特性を有するセンサインターフェース回路を備える、インターフェースユニットを提供する。【解決手段】インターフェースユニット８は、生体内に挿入されるように構成され、その遠位領域に一つ又は複数のセンサ素子を設けたセンサワイヤとインターフェース接続するように構成されたセンサインターフェース回路６を備える。センサインターフェース回路６は、変数の測定データをセンサ信号として生成するように構成された測定ユニット９を備える。インターフェースユニット８は、インターフェースユニット８の異なる複数の機能を制御し管理するように構成された制御ユニット１を備える。この異なる複数の機能は、同一の時間を有する複数の連続する制御期間ＣＰの間に所定のタスク（Ｔ１，Ｔ２，・・・ＴＮ）によって実行される。【選択図】図１
2015231543.tif 000002
【特許請求の範囲】
【請求項１】
生体内の少なくとも１つの生理学的又はその他の変数を測定し、前記変数に応じてセンサ信号を生成するように構成された血管内の測定システム用の体外のインターフェースユニットであって、
前記変数に関するセンサ変数値に基づいてセンサ信号として生成するように構成された測定ユニットを備え、生体内に挿入され、遠位領域に１又はそれ以上のセンサ素子を設けたセンサワイヤのインターフェース接続に適合したセンサインターフェース回路と、
前記インターフェースユニットの異なる複数の機能を制御及び管理するように構成された制御ユニットと、
前記センサインターフェース回路に電力供給する電源と、を備え、
前記異なる複数の機能は同一の時間を有する複数の連続する制御期間の間に所定の複数のタスクにより実行され、各タスクの間に前記インターフェースユニットの所定の機能が実行され、
前記制御ユニットは、割り当てられたタスク時間長さを有する各所定の複数のタスクのうちのただ１つのタスクを同じ時間に実行し、制御期間が有するタスク時間スロットに、１つの制御期間における各タスクを割り当て、１つの制御期間内の前記複数のタスクを特定のタスク分離期間により分離するように構成され、
前記電源は、前記タスク分離期間の間は前記センサインターフェース回路に電力供給しないことを特徴とするインターフェースユニット。
【請求項２】
前記異なる複数の機能は、前記少なくとも１つの変数の測定、測定データの処理、外部装置との無線通信、組織への電気的刺激、又は、組織の切除の実行の一つ又は複数を含むものである請求項１に記載のインターフェースユニット。
【請求項３】
前記所定のタスクは、５０〜５００Ｈｚの所定の実行周波数を有する請求項１又は２に記載のインターフェースユニット。
【請求項４】
前記所定のタスクは、所定の実行周波数を有し、
前記所定の実行周波数は、前記所定のタスクの実行（制御期間の２回に一回の割合で、制御期間の３回に一回の割合で、又は、制御期間４回に１回の割合）により決定される請求項１又は２に記載のインターフェースユニット。
【請求項５】
前記タスク分離期間は、１０〜１０００μｓの範囲である請求項１〜４のいずれか１項に記載のインターフェースユニット。
【請求項６】
前記センサインターフェース回路は、少なくとも２つの接続点を介して前記センサ素子に電源供給するように構成された２つの電流源ユニット、及びスイッチングユニットを備え、
前記スイッチングユニットは、第１の制御期間の開始から次の第２の制御期間の開始までの間に、前記２つの電流源ユニットと前記少なくとも２つの接続点との間で交互に接続を切り替えるように構成される請求項１〜５のいずれか１項に記載のインターフェースユニット。
【請求項７】
前記タスク時間長さは、前記電流源ユニットと前記少なくとも２つの接続点の間の各接続について略同一であり、
前記センサ変数値は前記少なくとも２つの接続点から測定される請求項６に記載のインターフェースユニット。
【請求項８】
前記センサ信号は、前記電流源ユニットと前記少なくとも２つの接続点との間の第１の接続状態の際の少なくとも１つのタスク期間、及び前記電流源ユニットと前記少なくとも２つの接続点との間の前記第１の接続状態と異なる第２の接続状態の際の少なくとも１つのタスク期間から算出されるセンサ変数値に基づいて求められる、請求項６に記載のインターフェースユニット。
【請求項９】
前記複数の制御期間の前記期間が０．５〜２０ｍｓである請求項１〜８のいずれか１項に記載のインターフェースユニット。
【請求項１０】
前記複数の制御期間の前記期間が２．５ｍｓである請求項１〜８のいずれか１項に記載のインターフェースユニット。
【請求項１１】
前記電源は、測定データの処理、外部装置との無線通信、組織への電気的刺激、組織の切除の実行を含む前記複数の機能の１つ又は複数に電力を供給するように構成される請求項１〜１０のいずれか１項に記載のインターフェースユニット。
【請求項１２】
前記インターフェースユニットは、無線接続を介して外部装置に前記センサ信号を伝送するように構成された送受信ユニット内に配置される請求項１〜１１のいずれか１項に記載のインターフェースユニット。
【請求項１３】
前記インターフェースユニットは、ケーブル接続を介して外部装置に前記センサ信号を伝送するように構成されたコネクタユニット内に配置されている請求項１〜１１のいずれか１項に記載のインターフェースユニット。
【請求項１４】
生体内の少なくとも１つの生理学的又はその他の変数の血管内測定用の測定システムにおいて、
生体内に挿入されるように構成され、遠位領域に配置されたセンサ素子を備えたセンサワイヤと、
測定データを受信するように構成された外部装置を備え、
前記センサワイヤの近位端に接続されるように構成された請求項１〜１３のいずれか１項に記載の体外のインターフェースユニットを備えることを特徴とする測定システム。
【発明の詳細な説明】
【技術分野】
【０００１】
本発明は、独立請求項の前提部分による、インターフェースユニット、及びインターフェースユニットを備える測定システムに関するものである。
【背景技術】
【０００２】
多くの医療処置では、体腔内の様々な生理学的状態を監視する必要がある。これら生理学的状態とは、通常は圧力、温度、流体流速など一般に本質的に身体的なものであり、医師又は医療技術者に患者の容体の状況に関する重要な情報を提供する。
【０００３】
容体を監視するために広く用いられる装置の１つに、血圧センサがある。血圧センサは患者の血圧の高さを検知し、それを示す電気信号に変換して患者の体外へと送信する。
【０００４】
従来技術において、圧力又は温度等の身体的パラメータを検出するために、いわゆるセンサワイヤの遠位部分にセンサを取り付けて、生体内の血管内にセンサワイヤを用いてセンサを配置させることが、知られている。センサは、パラメータを直接又は間接的に感知する複数の素子を含む。
【０００５】
１つの既知のセンサワイヤは、典型的には１．５〜２メートルの長さを有し、ワイヤの大部分に沿って延び、０．２５〜０．５ｍｍの範囲で、典型的には約０．３５ｍｍの外径を有する中空管を備える。心線は管内に配置され、管に沿って延び、しばしば管の遠位部の開口ユニットから外部に延出する。１つのセンサ又は複数のセンサは、好ましくは心線の遠位部分、例えばセンサワイヤの末端部分と接続されて配置される。
【０００６】
本発明は、例えば上述のタイプのセンサワイヤに関して適用可能である。
【０００７】
一応用として、上述のタイプのセンサワイヤは、血管内の圧力、特に心臓の冠血管内で圧力を測定するために用いられ、例えば、血管に関していわゆる血流予備量比（Ｆｒａｃｔｉｏｎａｌ  Ｆｌｏｗ  Ｒｅｓｅｒｖｅ）を決定することにより、例えば心臓冠血管における狭窄を識別するために用いられる。センサワイヤは、典型的には挿入カテーテルを用いて挿入され、順次大腿静脈又は冠動脈を通って挿入され、挿入されたカテーテルにより測定ユニットへ導かれる。
【０００８】
センサに電力を供給し、外部の生理モニタに測定された生理学的変数を表す信号を通信するために、しばしばマイクロケーブルと表記される、信号送信用の一つ以上のケーブル又はリードがセンサに接続され、物理的ケーブル又は無線を介して、血管から外部の生理モニタに至るセンサワイヤに沿って配置される。
【０００９】
センサ素子は、さらに電気回路を備え、電気回路は、一般に、薄膜上に設けられた１つ又は複数のピエゾ抵抗素子にホイートストン・ブリッジ型で接続されている。当分野で周知のように、周囲の媒質から膜に作用する圧力は、膜の伸縮又はたわみに対応し、その上に取り付けられたピエゾ抵抗素子の抵抗値に対応して、センサ素子からの出力に対応する。
【００１０】
その全体が本明細書に組み込まれ、本譲受人に譲渡された米国特許出願公開第２００６／０００９８１７  Ａ１において、かかるセンサとガイドワイヤ・アセンブリの一例が開示されている。このシステムは、制御ユニットからセンサに電源電圧を提供し、制御ユニットとセンサの間で信号を通信するために、体内に配置されるように構成されたセンサと、体外に配置されるように構成された制御ユニットと、センサと制御ユニットとの間の有線接続を備える。制御ユニットは、受信したセンサ信号を変調するための変調器と、変調信号の無線通信用の通信インターフェースをさらに有する。
【００１１】
その全体が本明細書に組み込まれ、本譲受人に譲渡された米国特許第７７２４１４８  Ｂ２において、かかる圧力測定システムの他の例が開示されている。圧力センサワイヤは、外部装置と接続するように配置された通信ユニットと通信信号を介して無線通信するように構成された送受信ユニットと、その近位端で接続されるように構成される。
【００１２】
その全体が本明細書に組み込まれ、本譲受人に譲渡された米国特許第６１１２５９８  Ａ、及び、米国特許第７２０７２２７  Ｂ２において、かかる圧力センサ及びガイドワイヤ・アセンブリの他の例が開示されている。
【００１３】
このように、本発明に係るインターフェースユニット及びシステムは、上記で参照した特許及び特許出願に開示されるような複数のセンサワイヤ・アセンブリに適用可能である。
【先行技術文献】
【特許文献】
【００１４】
【特許文献１】米国特許出願公開第２００６／０００９８１７  Ａ１
【特許文献２】米国特許第７７２４１４８  Ｂ２
【特許文献３】米国特許第６１１２５９８  Ａ
【特許文献４】米国特許第７２０７２２７  Ｂ２
【発明の概要】
【発明が解決しようとする課題】
【００１５】
従って、本発明の目的は、より低いノイズ特性を有するセンサインターフェース回路を備える、改良されたインターフェースユニットを提供することである。
【００１６】
本発明の他の目的は、高信号出力を維持しつつ、センサの電力消費を低減し、自己発熱を低減した、センサインターフェース回路を備える、改良されたインターフェースユニットを提供することである。
【課題を解決するための手段】
【００１７】
上記の目的は独立請求項に係る本発明により達成される。
【００１８】
好ましい実施の形態は独立請求項において下記のように記載される。
【００１９】
第１の特徴によれば、本発明は、生体内の少なくとも１つの生理学的又はその他の変数を測定し、変数に応じてセンサ信号を生成するように構成された血管内測定システム用の体外インターフェースユニットに関するものである。インターフェースユニットは、生体内に挿入されるように構成され、その遠位領域に一つ又は複数のセンサ素子を設けたセンサワイヤとインターフェース接続するように構成されたセンサインターフェース回路を備える。センサインターフェース回路は、変数の測定データをデジタルセンサ信号として生成するように構成された測定ユニットを備える。インターフェースユニットは、インターフェースユニットの異なる複数の機能を制御し管理するように構成された制御ユニットを更に備え、異なる複数の機能は、同一の時間を有する複数の連続する制御期間の間に所定の複数のタスクによって実行される。各タスクの間にインターフェースユニットの所定の機能が実行される。各所定のタスクは割り当てられたタスク時間長さを有し、そのうちのただ１つのタスクが同じ時間に実行され、制御期間における各タスクは前記制御期間内に所定のタスク時間スロットを有する。制御期間内の複数のタスクは特定のタスク分離期間により分離される。
【００２０】
本発明は、測定のための複数の時間スロットを無線伝送又は他の電気的活動から時間的に分離することにより、測定に悪影響を与える可能性がある雑音のレベルを低減するという、知見に基づくものである。
【００２１】
他の特徴によれば、本発明は、異なる複数の機能が実行される際に電源が短時間だけスイッチオンされ、それ以外の場合にスイッチオフされれば、平均センサ電力消費がそれにより低減されるという、知見に基づくものである。
【００２２】
したがって、本発明は、測定を行う際に、切り替え電流源の使用、あるいは、整合した複数の抵抗の使用に適用可能である。
【００２３】
第２の特徴によれば、本発明は、体外インターフェースユニット等を備える測定システムに関するものである。
【図面の簡単な説明】
【００２４】
【図１】図１は、本発明の一実施形態に係るインターフェースユニットを示すブロック図である。
【図２】図２は、インターフェースユニットの連続する３つの制御期間を示すサンプリング方式を示す。
【図３】図３は、本発明の一実施形態に係るインターフェースユニット内に配置されるように構成され、切り替えられた複数の電流源ユニットを備えるセンサインターフェース回路を示す。
【図４】図４は、本発明の一実施形態に係る切り替えられた複数の電流源ユニットを備えるインターフェースユニットを示すブロック図である。
【図５】図５は、インターフェースユニットに切り替えされた複数の電流源ユニットを使用するときの６つの連続する制御期間を示すサンプリング方式を示す。
【図６】図６は、本発明による、送受信ユニット内に配置されたインターフェースユニットを備える測定システムを示す。
【図７】図７は、本発明による、コネクタユニットに配置されたインターフェースユニットを備える測定システムを示す。
【発明を実施するための形態】
【００２５】
本発明は、例えば送受信ユニット、例えばＰｒｅｓｓｕｒｅＷｉｒｅ（登録商標）、Ａｅｒｉｓ（登録商標）（出願人が所有する商標）送信機内に配置されるように構成されたインターフェースユニット８、又は、生体内で変数を測定するためのセンサを遠位端に設けたセンサワイヤの近位端に接続されるように構成されたコネクタユニットに関するものである。センサのセンサ素子が体腔内と流体連通するように配置されるとき、周囲の媒質からセンサ素子の薄膜に作用する圧力は、薄膜の伸縮やたわみに対応し、薄膜上に搭載されたピエゾ抵抗素子の抵抗値に対応し、ひいては、インターフェースユニットに伝達されるセンサ素子からの出力に対応するであろう。
【００２６】
図１は、本発明の１つの実施形態による、生体内の少なくとも１つの生理学的又は他の変数を測定し、変数に応じてセンサ信号を生成するように構成された、血管内測定システムのための体外のインターフェースユニット８を示すブロック図である。図１に示すように、インターフェースユニット８は、生体内に挿入され、その遠位領域に一つ又は複数のセンサ素子を設けるように構成されたセンサワイヤ（図示せず）とインターフェース接続するように構成されたセンサインターフェース回路６を備え、センサインターフェース回路６は、変数の測定データをセンサ信号として生成するように構成された測定ユニット９を備えている。インターフェースユニット８は、インターフェースユニット８の異なる複数の機能を制御し管理するように構成された制御ユニット１を備えている。
【００２７】
図２に示すように、異なる複数の機能は、同一の継続時間ｔｃｐを有する連続した複数の制御期間ＣＰの間に所定の複数のタスクＴ１，Ｔ２，・・・Ｔｎによって実行される。各タスクＴ１，Ｔ２，・・・Ｔｎの間に、インターフェースユニット８の所定の機能が実行される。各所定のタスクＴ１，Ｔ２，・・・Ｔｎは割り当てられたタスク時間長さｔ１，ｔ２，ｔ３，・・・ｔｎを有し、そのうち１つのタスクＴ１，Ｔ２，・・・Ｔｎのみが同じ時間で実行され、制御期間ＣＰにおける各タスクＴ１，Ｔ２，・・・Ｔｎは制御期間ＣＰ内に所定のタスク時間スロットを有し、制御期間ＣＰ内の複数のタスクＴ１，Ｔ２，・・・Ｔｎは特定のタスク分離期間ｔｓにより分離されている。
【００２８】
一実施形態によれば、異なる複数の機能は、少なくとも１つの変数の測定、測定データの処理、外部装置との無線通信、組織への電気的刺激、又は、組織の切除の実行のうち１つまたは複数を含む。
【００２９】
図２において、第１の制御期間ＣＰは、４つの異なる所定のタスクＴ１，Ｔ２，Ｔ３，Ｔ４を含む。所定の各タスクＴ１，Ｔ２，Ｔ３，Ｔ４は、インターフェースユニット８の機能の実行に対応する。第２の制御期間ＣＰは、３つの異なる所定のタスクＴ１，Ｔ４，Ｔ５等を含んでいる。従って、この異なる複数の機能は、制御期間ＣＰの全ての回に実行される必要はない。場合によっては、特定のタスク、例えば、測定又は他の機能を実行するのは、複数の制御期間ＣＰの２回に１回、３回に１回、又は４回に１回、又は、特定のタスクが実行される間のより長い期間であっても十分である。これは当然、測定される変数又は他に実行される機能の性質に依存する。例えば、温度が測定される場合には、温度は圧力よりも通常はるかに遅く変化するため、圧力が測定される場合に比べて少ない回数で温度を測定すれば十分なことが多い。
【００３０】
一実施形態では、所定のタスクＴ１，Ｔ２，・・・Ｔｎは、割り当てられた実行周波数５０〜５００Ｈｚを有する。割り当てられた実行周波数は、所定のタスクＴ１，Ｔ２，・・・Ｔｎが、複数の制御期間ＣＰの毎回で、制御期間ＣＰの２回に１回の割合で、制御期間ＣＰの３回に１回の割合で、又は、制御期間ＣＰの４回に１回の割合等で実行されるか否かを示す。
【００３１】
一実施形態では、変数を測定する機能は、約５０〜５００Ｈｚのレートで実行される。一実施形態では、測定データの処理は、４００Ｈｚのレートで実行される。外部装置との無線通信は、約４００Ｈｚのレートで実行してもよい。組織の電気刺激は、約１〜２００Ｈｚのレートで実行してもよい。組織の切除は、１０〜５００Ｈｚのレートで実行してもよい。
【００３２】
センサインターフェース回路６は、少なくとも１つの電源１１によって電力供給されるように構成される。一実施形態によれば、電源１１は、タスク分離期間ｔｓの間だけスイッチオフされる。電源１１が、関係する所定のタスクＴ１，Ｔ２，・・・Ｔｎが実行されるとき短時間だけスイッチオンされ、それ以外はスイッチオフされるように、タスク分離期間ｔｓの間スイッチオフされるとすれば、平均センサ電力消費は低減され、それにより、高い信号出力を提供しつつセンサ素子の自己発熱を低減する。
【００３３】
平均センサ電力Ｐaverageは、以下のように削減することができる。
【数１】
2015231543.tif 000003
ここで、Ｐsensorはセンサに供給される瞬間電力であり、ｔｎは電源がオンされる時間であり、ｔｃｐは制御期間ＣＰの継続時間である。タスク分離期間ｔｓは、約１０〜１０００μｓである。
【００３４】
本発明の一実施形態では、センサインターフェース回路６は、変数を測定するときは、定電圧源から励起されたホイートストン・ブリッジ型の回路において高精度に抵抗値が整合した抵抗器対（ＲＢ，ＲＢ）を使用する。ホイートストン・ブリッジ型の回路は、アクティブ抵抗ＲＡとパッシブ抵抗ＲＰを備える。ホイートストン・ブリッジ型の回路は、センサワイヤのセンサ素子の薄膜上に搭載されたピエゾ素子に接続されるように構成される。
【００３５】
他の実施形態によれば、図３に示すように、センサインターフェース回路６は、２つの電流Ｉ１，Ｉ２を生成し、センサワイヤ７のセンサ素子（図示せず）に通電するように構成された、２つの電流源ユニットを使用する。したがって、センサインターフェース回路６は、少なくとも二つの接続点ＣＰ１、ＣＰ２を介して、生体内の生理学的又は他の変数を測定するためのセンサを遠位端に設けたセンサワイヤ７の近位端に接続されるように構成される。センサインターフェース回路６は、複数の接続点ＣＰ１，ＣＰ２の２つの間（図３では点線で示される）で接続が交互に切り替えられる、第１及び第２の電流Ｉ１，Ｉ２を生成する２つの電流源ユニットＣＳＵ１，ＣＳＵ２を備える。少なくとも一つの変数を測定する際に、連続する切り替え状態の間の平均測定値Ｖｄｉｆｆを測定することで、温度ドリフトによるオフセット電流の影響がキャンセルされるという効果がある。
【００３６】
図４に示す実施形態によれば、２つの電流源ユニットＣＳＵ１、ＣＳＵ２を備える体外のインターフェースユニット８が、概略的に示される。体外のインターフェースユニット８は、変数に応じてデジタルセンサ信号を生成するように構成される。インターフェースユニット８は、生体内に挿入されるように構成され、その遠位領域に一つ又は複数のセンサ素子を設けたセンサワイヤ（図示せず）にインターフェース接続するように構成されたセンサインターフェース回路６を備える。インターフェースユニット８は、インターフェースユニット８の異なる複数の機能を制御し管理するように構成された制御ユニット１を備える。センサインターフェース回路６は、更に、変数の測定データをデジタルセンサ信号として生成するように構成された測定ユニット９を備える。電流源ユニットＣＳＵ１，ＣＳＵ２は、少なくとも２つの接続点ＣＰ１，ＣＰ２，・・・ＣＰｎを介して１つ又は複数のセンサ素子に電力供給するように構成される。センサインターフェース回路６は、さらに、１つの制御期間ＣＰから次の制御期間ＣＰまで、複数の電流源ユニットＣＳＵ１，ＣＳＵ２との複数の接続点ＣＰ１，ＣＰ２，・・・ＣＰｎのうち少なくとも２つとの間で交互に接続を切り替えるように構成されたスイッチングユニット１０を備える。各接続は、タスク時間長さ（task time period length）ｔ１，ｔ２，・・・ｔｎを有する所定の複数のタスクＴ１，Ｔ２，・・・Ｔｎのうちの１つの間で維持される。
【００３７】
さらに、図４において、測定される変数により、複数の接続点ＣＰ１，ＣＰ２，・・・Ｃｐｎを切り替えるように構成されている測定切替ユニット１５が示されている。
【００３８】
一実施形態では、タスク時間長さｔ１，ｔ２，・・・ｔｎは、各接続に対して略同じであり、測定ユニット９は、複数の接続点ＣＰ１，ＣＰ２，・・・ＣＰｎのうち２点間での変数に関するセンサ変数値Ｖｄｉｆｆを決定するように構成される。センサ信号は、少なくとも２つのタスク時間長さｔ１，ｔ２，・・・ｔｎから得られるセンサ変数値の平均値Ｖｄｉｆｆに関するものである。
【００３９】
このように、切り替えられた電流源ユニットＣＳＵ１，ＣＳＵ２は、少なくとも１つの変数を測定することに関して好適に使用される。電源１１は、さらに、測定データの処理、外部装置と無線通信、組織の電気刺激、又は組織の切除を行なうことを含む複数の機能のうち１つ又は複数に電力供給するように構成されている。
【００４０】
一実施形態によれば、上記と同様の方法で、２つの電流源ユニットＣＳＵ１，ＣＳＵ２は、目的の信号を測定するときに短時間だけスイッチオンされ、それ以外のタスク分離期間ｔｓの間はスイッチオフされるように、時間によって切り替えられる。
【００４１】
複数の制御期間ＣＰの継続時間は、０．５〜２０ｍｓの間であってもよい。一実施形態では、複数の制御期間ＣＰの継続時間は、約２．５ｍｓである。
【００４２】
図５において、インターフェースユニット８について、６つの連続する制御期間ＣＰ１，ＣＰ２，・・・ＣＰ６を示すサンプリング方式が示されている。複数の制御期間ＣＰは、異なる複数の機能を実行するための多数の期間に分割され、各期間には、タスク時間長さｔ１，ｔ２，・・・ｔｎを有する所定のタスクＴ１，Ｔ２，・・・Ｔｎが割り当てられる。例えば、複数のセンサが使用されている場合には、各センサに異なる期間を割り当てることができる。図５において、第１の制御期間ＣＰは、４つの異なる所定のタスクＴ１，Ｔ２，Ｔ３，Ｔ４を含む。アスタリスク（＊）は、複数の電流源が切り替えられることを示す。従って、タスクＴ１の間の第１の制御期間ＣＰ１において、変数の測定が実行され、タスクＴ１＊の第２の制御期間ＣＰ２において、同じ変数の測定が再度実行されるが、その間に複数の電流源の切り替えが行われる。図５は、さらに、制御期間ＣＰ毎に測定及び他の機能を実行する必要がないことを示している。従って、いくつかの場合では、特定のタスク、例えば、測定又は他の機能を実行するのは、複数の制御期間ＣＰの２回に１回、３回に１回、又は４回に１回で十分である。したがって、測定が制御期間ＣＰの４回に１回の割合で、例えば、ＣＰ１とＣＰ５間のタスクＴ２で実行される場合は、切り替えも制御期間ＣＰの４回に１回の割合で実行される。
【００４３】
図６において、生体内の少なくとも１つの生理学的又はその他の変数の血管内測定のための測定システム１２が概略的に示されている。測定システム１２は、体内に挿入されるように構成され、先端領域にセンサ素子（図示せず）を設けたセンサワイヤ７と、測定データを受信するように構成された外部装置１３を備える。測定システム１２は、センサワイヤ７の近位端１４に接続されるように構成された体外インターフェースユニット８を備える。図６に示すように、インターフェースユニット８は、変数に応じてセンサ信号を生成するように構成され、その測定データは外部装置１３に伝送される。インターフェースユニット８は、無線接続を介して外部装置１３にセンサ信号を伝送するように構成された送受信ユニット１６内に配置される。
【００４４】
他の実施形態では、図７に示すように、インターフェースユニット８は、ケーブル接続を介して外部装置１３にセンサ信号を伝送するように構成されたコネクタユニット１７内に配置されている。
【００４５】
本発明は上記実施の形態に限定されるものではない。様々な代替、修正及び均等物を用いることができる。従って、上記の実施形態は、添付の特許請求の範囲によって定義される本発明の範囲を限定するものとして解釈されるべきではない。
【図１】
2015231543.tif 000004
【図２】
2015231543.tif 000005
【図３】
2015231543.tif 000006
【図４】
2015231543.tif 000007
【図５】
2015231543.tif 000008
【図６】
2015231543.tif 000009
【図７】
2015231543.tif 000010